(57)【特許請求の範囲】
【請求項１】
信号線（Ｒ）の先端に接続されている温度センサ（Ｑ）の外側に配置されている傘（Ｐ）で上記温度センサ（Ｑ）に対する直射日光を遮断する温度センサの遮光装置において、
上記傘（Ｐ）が紙又は合成樹脂製の半円状シートの両端部に互いに対向して形成されている係合部（Ｋ）で着脱自在に結合された裁頭円錐状の傘本体（１）と、上記傘本体（１）の上端に形成されている開口部（２）と、上記開口部（２）の口縁近傍から上記傘本体（１）の上方に起立する支持片（３）と、上記支持片（３）に穿設されている二つ以上の孔（Ａ１、Ａ２、Ａ３）とを備え、上記信号線（Ｒ）を上記各孔（Ａ１、Ａ２、Ａ３）に交互に通過させて当該信号線（Ｒ）を上記支持片（３）で保持させながら上記温度センサ（Ｑ）を上記開口部（２）から上記傘本体（１）内に吊り下げていることを特徴とする温度センサの遮光装置。
【請求項２】
傘本体１の胴部にＵ字状、又はコ字状の切り込み（４）で形成された舌片（５）が切起されて通気口（６）が形成されている請求項１に記載の温度センサの遮光装置。
【請求項３】
信号線（Ｒ）の先端に接続されている温度センサ（Ｑ）の外側に配置されている傘（Ｐ）で上記温度センサ（Ｑ）に対する直射日光を遮断する温度センサの遮光装置の成形方法において、
直線状の端部（９）と、この端部（９）の反対側に形成されている円弧上の外縁（１０）とを備えた半円状の傘本体（１）と、上記端部（９）の中央に形成した湾曲面（７）と、上記端部（９）のうち上記湾曲面（７）より上側の上側端部（９ａ）と下側の下側端部（９ｂ）にそれぞれ形成した複数のＶ溝と複数の爪とからなる一対の上側係止部（Ｋ１）及び下側係止部（Ｋ２）と、上側端部（９ａ）から外方に延びながら上記湾曲面（７）に対向する湾曲片（８）と、上記湾曲片（８）から斜め上方に延びる支持片（３）と、上記支持片（３）に形成した二つ以上の孔（Ａ１、Ａ２、Ａ３）と、を備えた紙又は合成樹脂製のシートからなる母材を用意し、
上記上側端部（９ａ）と下側端部（９ｂ）同士を回転して丸めながら近づけ、同時に湾曲片（８）も回転させ、この湾曲片（８）を傘本体（１）の下面に重ねながら湾曲面（７）と湾曲片（８）の内周（８ａ）とで開口部（２）を形成する第１の工程と、
上側係止部（Ｋ１）の各Ｖ溝（ｄ、ｃ、ｂ、ａ）を対応する下側係止部（Ｋ２）の各Ｖ溝（ｅ、ｆ、ｇ、ｈ）に順次係合させて上記母材を裁頭円錐体状に成形する第２の工程と、
支持片（３）を曲げて上記の工程で成形されている開口部（２）から外方に引き上げる第３の工程と、
引き上げた支持片（３）の孔（Ａ１、Ａ２、Ａ３）に交互に信号線（Ｒ）を差し込んで支持させながら温度センサ（Ｑ）を下方に吊り下げる第４の工程とからなることを特徴とする温度センサの遮光装置の成型方法。
【発明の詳細な説明】
【技術分野】
【０００１】
この発明は、ビニールハウス等の温室における室温を検出する温度センサが直射日光を受けるのを防止する温度センサの遮光装置及びその成形方法に関する。
【背景技術】
【０００２】
一般に、従来、植物の育成用のビニールハウス、ガラスハウス等の温室では、植物の育成に適する室温を一定に保っておくことが必要である。
【０００３】
この為、従来の温室ではハウスの屋根、側壁等に換気装置を設け、室温が基準の温度より高くなると換気装置を開いて外気を導入し、温度が低くなると換気装置を閉じようにしているのが普通である。
【０００４】
このような換気装置としては、例えば特許文献１（特開２０１３−３４４４３号公報）、特許文献２（特開２００２−３０５９９０号公報）、特許文献３（特開２００１−１２００８１号公報）に示すようなものが開発され、実施されている。
【０００５】
例えば、特許文献１に示す換気装置はハウスの側壁に形成した開口を開閉する開閉シートと、この開閉シートを巻き取り、巻き戻す巻上げ軸と、この巻上げ軸を回転する駆動機と、この駆動機を軸方向に沿って案内するガイド柱とからなるものである。
【０００６】
さらに、上記駆動機は駆動機本体と、制御盤で操作することが可能な電動モータを内蔵し、制御盤はハウス内に配置した温度センサと信号線を介して接続されている。
【０００７】
そして、温度センサによりハウス内の温度が所定の温度より高くなったことが検知された場合には制御盤により電動モータを駆動させて巻上げ軸を回動させながら開閉シートを巻き上げて開口を所定量解放させる。
【０００８】
他方、ハウス内の室温が設定値より低くなったことを温度が検知した場合には電動モータを逆方向に駆動して巻上げ軸を巻き取り方向に回転しながら開閉シートを巻き取り、開口を閉じるようにしている。
【０００９】
一方、上記の温度センサはハウス内の所定位置に吊り下げておくと、太陽からの直射日光が透明な屋根側や側面側の透明シートや透明ガラスを通過して直接温度センサに照射される場合があり、この場合は温度センサが加熱され、設定通りの室温を検知できなくなり、その結果、換気装置を開きっぱなしにして室温を設定通りに維持できず、植物の育成を阻害する恐れがある。
【００１０】
この為、従来は、例えば、図１３に示すような温度センサの遮光装置が開発されている。
【００１１】
即ち、この温度センサの遮光装置は図１３（Ａ）、（Ｂ）、（Ｃ）に示すように温度センサＱと、温度センサＱの外側に挿入して取付けた金属製の円錐状傘本体１０１と、温度センサＱと傘本体１０１とを連結する取付部材１０４とからなるものである。
【００１２】
取付部材１０４は温度センサＱの基端と信号線Ｒを結合する筒体１０２と、温度センサＱの基端側に一体に設けたフランジＱ１と、温度センサ側の螺子１０３に螺合したナット１０３とで構成され、フランジＱ１とナット１０３とで傘本体１０１の上端側水平部を挟持したものである。
【００１３】
この温度センサの遮光装置によれば、傘本体１０１が温度センサＱの外側にこれを覆うように配置されているから直射日光が直接温度センサＱに直接照射されるのが防止され、加熱されることがない。
【００１４】
その為、温度センサＱが、温室内の室温を適正に検知でき、換気装置による換気を正確に行うことがない。
【先行技術文献】
【特許文献】
【００１５】
特許文献１（特開２０１３−３４４４３号公報  図１、段落００２０、００３２参照）
特許文献２（特開２００２−３０５９９０号公報  図４、段落００１６参照）
特許文献３（特開２００１−１２００８１号公報  図８、段落００３０参照）
【発明の概要】
【発明が解決しようとする課題】
【００１６】
しかしながら、上記図１３（Ａ）、（Ｂ）、（Ｃ）に示す従来の温度センサの遮光装置では、次のような改善すべき問題点がある。
【００１７】
第１に傘本体１０１と温度センサＱとは筒体１０２と、温度センサＱの基端側に一体に設けたフランジＱと、温度センサ側の螺子１０３に螺合したナット１０３とで構成された取付部材１０４で結合されているから、この取付部材１０４は傘本体１０１と別々に成形させる必要があり、構造が複雑で部品点数が多くなり、その都度着脱操作が必要であるから、加工性、組付けの操作性、経済性において不利である。
【００１８】
第２に傘本体１０１が金属製であるから直射日光が照射された時加熱されやすく、この熱が温度センサＱに放熱されて温度センサＱの検知機能を損ねるおそれがある。
【００１９】
第３に傘本体１が裁頭円錐体状に成形され、しかもこの素材が金属であることから重量が重く、コンパクトに折り畳められないので倉庫に多数格納する場合や、製造現場から使用現場に多数搬送する場合に嵩張り、大きな格納用の収容スペースや、搬送用の大きな箱が必要となり、格納作業と搬送作業も困難である。
【００２０】
そこで、本発明の目的は、部品点数が少なく、構造が簡単であり、重量が軽く、格納時や搬送時にコンパクトにできて格納スペースや搬送用の箱を小さくでき、加工性、作業性を向上できる温度センサの遮光装置および成形方法を提供することである。
【課題を解決するための手段】
【００２１】
上記課題を解決する温度センサの遮光装置の手段は、信号線の先端に接続されている温度センサの外側に配置されている傘で上記温度センサに対する直射日光を遮断する温度センサの遮光装置において、
上記傘が紙又は合成樹脂製の半円状シートの両端部に互いに対向して形成されている係合部で着脱自在に結合された裁頭円錐状の傘本体と、上記傘本体の上端に形成されている開口部と、上記開口部の口縁近傍から上記傘本体の上方に起立する支持片と、上記支持片に穿設されている二つ以上の孔とを備え、上記信号線を上記各孔を交互に通過させて当該信号線を上記支持片で保持させながら上記温度センサを上記開口部から上記傘本体内に吊り下げていることを特徴とする。
【００２２】
同じく、温度センサの遮光装置の成形方法は、信号線の先端に接続されている温度センサの外側に配置されている傘で上記温度センサに対する直射日光を遮断する温度センサの遮光装置の成形方法において、
直線状の端部と、この端部の反対側に形成されている円弧上の外縁とを備えた半円状の傘本体と、上記端部の中央に形成した湾曲面と、上記端部のうち上記湾曲面より上側の上側端部と下側の下側端部にそれぞれ形成した複数のＶ溝と複数の爪とからなる一対の上側係止部及び下側係止部と、上側端部から外方に延びながら上記湾曲面に対向する湾曲片と、上記湾曲片から斜め上方に延びる支持片と、上記支持片に形成した二つ以上の孔と、を備えた紙又は合成樹脂製のシートからなる母材を用意し、
上記上側端部と下側端部同士を回転して丸めながら近づけながら同時に湾曲片も回転させ、この湾曲片を傘本体の下面に重ねながら湾曲面と湾曲片の内周とで開口部を形成する第１の工程と、
上側係止部の各Ｖ溝を対応する下側係止部の各Ｖ溝に順次係合させて上記母材を裁頭円錐体状に成形する第２の工程と、
支持片を曲げて上記の工程で成形されている開口部から外方に引き上げる第３の工程と、
引き上げた支持片の孔に交互に信号線を差し込んで支持させながら温度センサを下方に吊り下げる第４の工程とからなることを特徴とする。
【発明の効果】
【００２３】
Ａ）  請求項１、２の発明によれば、傘が傘本体と、傘本体の上方に起立する支持片とを備えているからこの支持片を利用して傘本体を温度センサと信号線に取付けでき、別部材からなる取付具が不要となり、部品点数が少なく、構造が簡単となり、加工性、組付け性、経済性が向上する。
Ｂ）同じく、傘本体が紙又は合成樹脂製のシートで成形されているから軽量であり、金属性の傘に比べて直射日光の照射を受けても加熱される度合いが少なく、温度センサの検知機能を低下するのを防止できる。
Ｃ）  同じく、傘が両端部に互いに対向して形成されている係合部で着脱自在に結合されているから、この係合部を結合させる前又は結合を解除した時傘本体はシート状となるから、この傘を多数コンパクトに重ねることが出来、その結果狭い格納スペース内であっても多数格納で、また、製造現場から使用現場である温室まで搬送する場合であっても収容スペースの小さい箱を利用でき、格納、搬送作業の向上を図れる。
Ｄ）請求項２の発明によれば、切り込みで形成された舌片を切起して通気口を形成して確保することにより、傘本体内を通気させて傘本体内の温度上昇を防止することが出来る。その結果温度センサの誤作動を防止できる。
Ｅ）請求項３の発明によれば、紙又は合成樹脂製のシートを係合部でその都度係合させるだけで裁頭円錐体状の傘本体が成形され、この作業は温室等の使用現場で素人でも成形できるから加工性、作業性、経済性の向上を図れる。
【図面の簡単な説明】
【００２４】
【図１】本発明の一実施の形態に係る温度センサの遮光装置の斜視図である。
【図２】本発明の一実施の形態に係る温度センサの遮光装置に使用する傘本体の半円状シートからなる母材を展開した状態を示す平面図である。
【図３】図２に示すシートからなる母材の両端部を回転させながら互いに近づけて傘本体を成形させる工程の初期の状態を示す斜視図である。
【図４】シートからなる母材における上側端部の最初の内端側Ｖ溝に下側の端部の最初の内端側Ｖ溝を係合させている状態を示す斜視図である。
【図５】上側端部の最後の外端側Ｖ溝に下側端部の最後の外端側Ｖ溝を係合させている状態を示す斜視図である。
【図６】Ｖ溝と爪とからなる係合部を介して結合してシートからなる母材を裁頭円錐状の傘本体に成形した状態の斜視図である。
【図７】図５に示す傘本体を下から見た斜視図である。
【図８】支持片を下から上方に向けて開口部を貫通させている状態を示す傘本体の下から見た斜視図である。
【図９】支持片の上段の孔に温度センサを挿入している状態を示す傘本体の上から見た斜視図である。
【図１０】支持片の上段の孔と中段の孔にそれぞれ信号線と温度センサを挿入している状態を示す傘本体の上から見た斜視図である。
【図１１】支持片の上段の孔と中段の孔と下段の孔にそれぞれ信号線と温度センサを挿入している状態を示す傘本体の上から見た斜視図である。
【図１２】支持片の上段の孔と中段の孔と下段の孔にそれぞれ信号線と温度センサを挿入し、且つ切欠き片を押し開いている状態を示す傘本体の上から見た斜視図である。
【図１３】（Ａ）は従来の温度センサの遮光装置の上から見た斜視図である。
【００２５】
（Ｂ）は同じく下から見た斜視図である。
【００２６】
（Ｃ）は同じく一部切欠き縦断側面図である。
【発明を実施するための形態】
【００２７】
以下に本発明の一実施の形態に係る温度センサの遮光装置とその成形方法について、図１〜図１２８を参照しながら説明する。
【００２８】
本発明は、ビニールハウス等の温室における室温を検出する温度センサが直射日光を受けるのを防止する温度センサの遮光装置及びその成形方法に関する。
【００２９】
温度センサは公知のように、ビニールハウス、ガラスハウス等の温室の室内に設置され、ハウス内の温度を検知して換気装置側の制御盤に信号線を介して検知信号を送るようになっている。
【００３０】
そして、ハウス内の温度が所定の温度より高くなったことが検知された場合には制御盤により電動モータを駆動させて、例えば、換気装置たる巻上げ軸を回動させながらこの巻上げ軸に巻き付けた開閉シートを巻き上げてハウスの屋根又は側面に形成した開口を所定量解放させる。
【００３１】
他方、ハウス内の室温が設定値より低くなったことを温度センサが検知した場合には電動モータを逆方向に駆動して巻上げ軸を巻き取り方向に回転しながら開閉シートを巻き取り、開口を閉じるようにしている。
【００３２】
この場合、太陽からの直射日光が透明な屋根側や側面側の透明シートや透明ガラスを通過して直接温度センサに照射される場合があり、この場合は温度センサが加熱され、設定通りの室温を検知できなくなり、その結果、換気装置を開きっぱなしにして室温を設定通りに維持できず、植物の育成を阻害する恐れがある。
【００３３】
本発明はこの温度センサが直射日光にさらされないようにした温度センサの遮光装置とその成形方法に特徴がある。
【００３４】
本発明の一実施の形態に係る温度センサの遮光装置が図１に示されている。
【００３５】
この温度センサの遮光装置Ｐは、信号線Ｒの先端に接続されている温度センサＱの外側に配置されている傘Ｐで上記温度センサＱに対する直射日光を遮断するものである。
【００３６】
傘Ｐは紙又は合成樹脂製の半円状シートの両端部が互いに対向して形成されている係合部Ｋで着脱自在に係合された裁頭円錐状の傘本体１と、傘本体１の上端に形成されている開口部２と、この開口部２の口縁近傍から傘本体１の上方に起立する支持片３と、この支持片３に穿設されている二つ以上、例えば、三つの孔Ａ１、孔Ａ２、孔Ａ３とを備えている。
【００３７】
そして、信号線Ｒを各孔Ａ１、Ａ２、Ａ３を交互に通過させて信号線Ｒを支持片３で保持させながら温度センサＱを開口部２から傘本体１内に吊り下げている。
【００３８】
この為、温度センサＱの外周側に傘本体１が配置されているので、ビニールハウスの透明シートやガラスハウスの透明ガラスを通過した直射日光は傘本体１で遮られて温度センサＱに直接照射されず、温度センサＱは太陽熱で加熱されず、温室内の室温を適正に検知できる。
【００３９】
傘本体１は予め白色のシートで成形させ、或いは外周に白色の塗装を施すことによりこの傘本体１の太陽光線による加熱を防止して傘本体１から熱が温度センサＱに伝播するのを防止しておいても良い。
【００４０】
また、傘本体１の胴部にＵ字状、又はコ字状の切り込み４で形成された舌片５を切起して通気口６を形成しておくことにより、傘本体１内を通気させて傘本体１内の温度上昇を防止することが出来る。
【００４１】
図１の温度センサの遮光装置によれば、傘本体１の上方に起立する支持片３を備えているからこの支持片３を利用して傘本体１を温度センサＱと信号線Ｒに取付けできるので別部材からなる従来の温度センサの遮光装置に比べて取付具が不要となり、部品点数が少なく、構造が簡単となり、加工性、組付け性、経済性が向上する。
【００４２】
また、傘本体１が紙又は合成樹脂製のシートで成形されているから軽量であり、金属性の傘に比べて直射日光の照射を受けても加熱される度合いが少なく、温度センサＱの検知機能を低下するのを防止できる。
【００４３】
さらに、傘Ｐが両端部に互いに対向して形成されている係合部Ｋで着脱自在に結合されているから、この係合部Ｋを結合させる前又は結合を解除した時傘本体１はシート状の母材となるから、この傘Ｐを母材の状態で多数コンパクトに重ねることが出来る。その結果狭い格納スペース内であっても傘Ｐを母材の状態で多数格納で、また、製造現場から使用現場である温室まで搬送する場合であっても収容スペースの小さい箱を利用でき、格納、搬送作業の向上を図れる。
【００４４】
図１の傘Ｐ１は裁頭円錐体の形状となっているが、この傘Ｐは側面から見て長方形状、台形状に成形されていても良い。要は、上部に開口部２を設け、この開口部２の口縁近辺に支持片３を一体に設けたシートで成形され、シートの端部が係合部で着脱自在に結合されたものであれば実施可能である。
【００４５】
支持片３は開口部２の口縁付近の内周又は外周に一体成型しておいても良く、貼り付けて置いても良い。
【００４６】
係合部Ｋは半円状又は長方形状のシートの互いに対向する端部にそれぞれ形成したＶ溝同士を係合したもの、一方の溝とこの溝に着脱自在に係合する爪、又は一方の孔とこの孔に着脱自在に嵌合して引っ掛かる他方の突起、あるいは糸等で着脱自在に縫合した構成を採用することが可能である。
【００４７】
要は、この係合部Ｋは結合する前、又は結合を解除した時に傘Ｐを単なる扁平なシート状の母材にできるようになっていれば良い。
【００４８】
図１の傘Ｐに使用するシート状の母材の一実施の形態が図２に示されている。
【００４９】
図２は傘本体１と、支持片３と、支持片３の穿設した三つの孔Ａ１、Ａ２、Ａ３を備えた紙又は合成樹脂製シートからなる母材を示し、図３から図１２はこの母材を利用して温度センサの遮光装置Ｐを成形する工程を示している。
【００５０】
図２に示す傘用母材は紙又は合成樹脂製のシートから成形されており、これは、平面から見て、直径方向に沿って直線状の端部９と、この端部９の反対側に形成されている円弧上の外縁１０とを備えた半円状の傘本体１と、端部９の中央に半円状に切り欠いて形成した湾曲面７と、上記端部９のうち上記湾曲面７より上側の上側端部９ａと下側の下側端部９ｂとにそれぞれ形成した上下一対の係合部Ｋ１、Ｋ２と、上側端部９ａから図２において右側たる外方に延びながら湾曲面７に対向する湾曲片８と、湾曲片８から斜め上方に延びる支持片３と、支持片３に形成した二つ以上、例えば三つの孔Ａ１、Ａ２、Ａ３と、を備えている。
そして、上記上側の係止部Ｋ１は上側端部９ａに直線方向に沿ってそれぞれ隔設した複数の第１、第２、第３、第４のＶ溝ａ、ｂ、ｃ、ｄ及び複数の第１、第２、第３の爪Ａ、Ｂ、Ｃとで構成され、同じく、下側の係止部Ｋ２は下側端部９ｂに直線方向に沿ってそれぞれ隔設された複数の第５、第６、第７、第８のＶ溝ｅ、ｆ、ｇ、ｈ及び複数の第４、第５、第６、第７の爪Ｄ、Ｅ、Ｆ、Ｇとから構成されている。
そして、上側の第１、第２、第３の爪Ａ、Ｂ、Ｃは下側のＶ溝ｈ、ｇ、ｆ、ｅに対応して差し込まれるようになっている。
反対に、下側の第４、第５、第６、第７の爪Ｄ、Ｅ、Ｆ、Ｇは上側の第１、第２、第３、第４のＶ溝ａ、ｂ、ｃ、ｄに対応してさしこまれるようになっている。
上記の各Ｖ溝ａ〜ｈ、及び爪Ａ〜Ｇは次のようにして形成されている。
【００５１】
即ち、上側端部９ａに開口が幅狭の上下二つの蟻溝Ｌ、Ｍを形成し、これにより上側の蟻溝Ｌの底部上下両側を互いに対向する一対の第１、第２のＶ溝ａ、ｂとして形成させ、同じく下側の蟻溝Ｍの底部上下両側を互いに対向する一対の第３、第４のＶ溝ｃ、ｄとして形成させている。
【００５２】
そして、上記上側の蟻溝Ｌの開口部両端をＶ字状に尖った第１、第２の爪Ａ、Ｂとして形成させ、同じく下側の蟻溝Ｍの開口部の一端をＶ字状に尖った第３の爪Ｃとして形成させている。
【００５３】
次に、下側端部９ｂの上部に第５のＶ溝ｅを、下部に第８のＶ溝ｈをそれぞれを形成している。
そして、第５のＶ溝ｅの傾斜面に連なる端部に中央方向に向くＶ字状に尖った第４の爪Ｄを形成し、同じく第８のＶ溝ｈの傾斜面に連なる端部に外方に向くＶ字状に尖った第７の爪Ｇを形成している。
更に、下側端部９ｂの中央部に蟻溝Ｎを形成し、この蟻溝Ｎの底部上下両側を互いに対向する一対の第６、第７のＶ溝ｆ、ｇとして形成させ、また、この蟻溝Ｎの開口部両端をＶ字状に尖った第５、第６の爪Ｅ、Ｆとして形成させている。
【００５４】
次に、上記の母材を利用して傘Ｐを成形する工程を説明する。
【００５５】
この温度センサの遮光装置の一実施の形態に係る成型方法は、次の第１〜第４の工程からなるものである。
先ず、図２に示す紙又は合成樹脂製のシートから成る母材を用意する。
次いで、図３に示すように上側端部９ａと下側端部９ｂ同士を回転して丸めながら近づけ、同時に湾曲片８も回転させ、この湾曲片８を傘本体１の下面に重ねながら湾曲面７と湾曲片８の内周８ａとで開口部２を形成する（第１の工程）。
【００５６】
次に上側係止部Ｋ１の各Ｖ溝ｄ、ｃ、ｂ、ａを対応する下側係止部Ｋ２の各Ｖ溝ｅ、ｆ、ｇ、ｈに順次係合させ、上記母材を裁頭円錐体状に成形する（第２の工程）。
この第２の工程では、図４に示すように、先ず、下側の第４の爪Ｄを支持片３の上面を経由して上側の第４のＶ溝ｄに差し込みながら傘本体１の下面に当接させ、同時に上側のＶ溝ｄと下側のＶ溝ｅを互いに噛み合わせて係合させる。
同様の工程で他の上下のＶ溝ｃとｆ、ｂとｇ、ａとｈ、同士を係合させる。
即ち、上記第２の工程に続いて、上側の爪Ｃを下側の爪Ｅの上面を経由して下側のＶ溝ｆに差し込みながら上側のＶ溝ｃと下側のＶ溝ｆとを互いに係合させる。
次に、図５、図６に示すように、上下の端部９ａ、９ｂ同士をさらに近づけて下側の爪Ｆを上側の爪Ｂの上面を経由して上側のＶ溝ｂに差し込みながら上側のＶ溝ｂと下側のＶ溝ｇを係合させ、更に、上側の爪Ａを下側の爪Ｇの上面を経由して下側のＶ溝ｈに差し込んで上側のＶ溝ａと下側のＶ溝ｈを係合させる。
上記の第２の工程を終了すると図６に示すように上下の係止部Ｋ１、Ｋ２が係合した状態で上端に開口部２を形成した裁頭円錐状の傘Ｐが成形される。
次に、図７から図８に示すように、傘本体１の下方内に位置している支持片３を上方に向けて曲げ、上記の工程で成形されている開口部２から外方に引き上げる（第３の工程）。
次いで、図９、図１０、図１１、図１２に示すように、引き上げた支持片３の孔Ａ１、Ａ２、Ａ３に交互に信号線Ｒを差し込んで支持されながら温度センサＱを下方に吊り下げる（第４の工程）。
この場合、図９に示しように、上側の孔Ａ１に差し込まれた温度センサＱは図１０に示すように、再度中段の孔Ａ２ｎｉ差し込まれ、次いで、図１１に示すように下段のＡ孔Ａ３を貫通させて傘本体１の内部に吊り下げる。
この状態で図１２に示すように、舌片５を押し開いて通気孔６を開口させて傘本体１を通気させることが出来る。
【００５７】
上記の工程によれば、紙又は合成樹脂製のシートを係合部Ｋ１，Ｋ２でその都度係合させるだけで裁頭円錐体状の傘本体１が成形され、この作業は温室等の使用現場で素人でも成形できるから加工性、作業性、経済性の向上を図れる。
【符号の説明】
【００５８】
Ｒ  信号線
Ｑ  温度センサ
Ｐ  傘
Ａ１、Ａ２，Ａ３  孔
Ｋ  係合部
Ｋ１  上側係止部
Ｋ２  下側係止部
１  傘本体
２  開口部
３  支持片
４  切り込み
５  舌片
６  通気孔
７  彎曲面
８  湾曲片
８ａ  内周
９  直線状の端部
９ａ  上側端部
９ｂ  下側端部
１０  外縁
ａ、ｂ、ｃ、ｄ、ｅ、ｆ、ｇ、ｈ  溝
【図１】
0006683343.tif 000002
【図２】
0006683343.tif 000003
【図３】
0006683343.tif 000004
【図４】
0006683343.tif 000005
【図５】
0006683343.tif 000006
【図６】
0006683343.tif 000007
【図７】
0006683343.tif 000008
【図８】
0006683343.tif 000009
【図９】
0006683343.tif 000010
【図１０】
0006683343.tif 000011
【図１１】
0006683343.tif 000012
【図１２】
0006683343.tif 000013
【図１３】
0006683343.tif 000014